【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
データに対するアクセス権を管理するセキュリティサーバと接続可能な処理装置であって、
データを入力するデータ入力手段と、
前記データ入力手段によって入力されたデータを記憶する記憶手段と、
前記記憶手段によって記憶されたデータに対するアクセス権が前記セキュリティサーバによって管理されているか否かを検知する検知手段と、
前記記憶手段によって記憶されたデータに対するアクセス権が前記セキュリティサーバによって管理されていないことを前記検知手段が検知したことに応じて、前記データに対するアクセス権を前記セキュリティサーバが管理するための情報を、前記セキュリティサーバに自動的に設定する自動設定手段と、
を有することを特徴とする処理装置。
【請求項２】
更に、前記データを入力するよう前記データ入力手段に指示したユーザを特定するユーザ特定手段を有し、
前記自動設定手段は、前記ユーザ特定手段によって特定されたユーザによる前記データに対するアクセスを可能にするように、前記データに対するアクセス権を前記セキュリティサーバが管理するための情報を、前記セキュリティサーバに自動的に設定すること
を特徴とする請求項１に記載の処理装置。
【請求項３】
更に、前記記憶手段によって記憶されたデータに対するアクセス権を前記セキュリティサーバが管理するための情報を、ユーザによる手動で前記セキュリティサーバに設定する手動設定手段を有し、
前記手動設定手段は、
前記データを入力するよう前記データ入力手段に指示したユーザを前記特定手段が特定できない場合に、前記データに対するアクセス権を前記セキュリティサーバが管理するための情報を、前記セキュリティサーバに設定すること
を特徴とする請求項２に記載の処理装置。
【請求項４】
前記記憶手段は、それぞれが１以上のユーザのいずれかに関連付けられた複数の記憶領域を有する記憶装置に、前記データ入力手段によって入力されたデータを記憶し、
前記自動設定手段は、
前記記憶手段が前記記憶装置内の前記複数の記憶領域のいずれかに前記データを記憶した場合に、前記データが記憶された記憶領域に関連付けられたユーザによる前記データに対するアクセスを可能にするように、前記データに対するアクセス権を前記セキュリティサーバが管理するための情報を、前記セキュリティサーバに自動的に設定すること
を特徴とする請求項１に記載の処理装置。
【請求項５】
更に、前記記憶手段によって記憶されたデータに対するアクセス権を前記セキュリティサーバが管理するための情報を、ユーザによる手動で前記セキュリティサーバに設定する手動設定手段を有し、
前記手動設定手段は、
前記記憶手段が前記記憶装置内の前記複数の記憶領域以外の他の記憶領域に前記データを記憶した場合に、前記データに対するアクセス権を前記セキュリティサーバが管理するための情報を、前記セキュリティサーバに設定すること
を特徴とする請求項４に記載の処理装置。
【請求項６】
更に、前記データを入力するよう前記データ入力手段に指示したユーザを特定するユーザ特定手段を有し、
前記記憶手段は、それぞれが１以上のユーザのいずれかに関連付けられた複数の記憶領域を有する記憶装置に、前記データ入力手段によって入力されたデータを記憶し、
前記自動設定手段は、
前記データを入力することを前記データ入力手段に指示したユーザを前記ユーザ特定手段が特定し、かつ、前記記憶手段が前記記憶装置内の前記複数の記憶領域のいずれかに前記データを記憶した場合に、前記ユーザ特定手段によって特定されたユーザと、前記データが記憶された記憶領域に関連付けられたユーザとによる前記データに対するアクセスを可能にするように、前記データに対するアクセス権を前記セキュリティサーバが管理するための情報を、前記セキュリティサーバに自動的に設定すること
を特徴とする請求項１に記載の処理装置。
【請求項７】
前記記憶手段によって記憶されたデータに対するアクセス権を前記セキュリティサーバが管理するための情報を、ユーザによる手動で前記セキュリティサーバに設定する手動設定手段と、
前記データに対するアクセス権を前記セキュリティサーバが管理するための情報を、前記自動設定手段によって前記セキュリティサーバに自動的に設定させるか否かを示す情報を記憶した設定情報記憶手段と、
を更に有し、
前記手動設定手段は、
前記記憶手段によって記憶されたデータに対するアクセス権が前記セキュリティサーバによって管理されていないことを前記検知手段が検知し、かつ、前記データに対するアクセス権を前記セキュリティサーバが管理するための情報を前記セキュリティサーバに自動的に設定させないことを示す情報が前記設定情報記憶手段に記憶されている場合に、前記データに対するアクセス権を前記セキュリティサーバが管理するための情報を、前記セキュリティサーバに設定すること
を特徴とする請求項１に記載の処理装置。
【請求項８】
データに対するアクセス権を管理するセキュリティサーバと接続可能な処理装置であって、
データを入力するデータ入力手段と、
前記データ入力手段によって入力されたデータを記憶する記憶手段と、
前記記憶手段によって記憶された複数のデータの各々について、当該データに対するアクセス権が前記セキュリティサーバによって管理されているか否かを識別する識別手段と、
前記記憶手段によって記憶された複数のデータのうち、前記識別手段が前記セキュリティサーバによってアクセス権が管理されていないと識別したデータについて、前記セキュリティサーバにアクセス権を管理させるための情報を、前記セキュリティサーバに一括で設定する一括設定手段と、
を有することを特徴とする処理装置。
【請求項９】
更に、前記識別手段による識別結果に基づいて、前記記憶手段によって記憶された複数のデータを一覧表示する際に、前記セキュリティサーバによってアクセス権が管理されているか否かを識別可能に表示する表示手段を有することを特徴とする請求項８に記載の処理装置。
【請求項１０】
データに対するアクセス権を管理するセキュリティサーバと接続可能な処理装置の制御方法であって、
データを入力するデータ入力工程と、
前記データ入力工程において入力されたデータを記憶する記憶工程と、
前記記憶工程において記憶されたデータに対するアクセス権が前記セキュリティサーバによって管理されているか否かを検知する検知工程と、
前記記憶工程において記憶されたデータに対するアクセス権が前記セキュリティサーバによって管理されていないことを前記検知工程において検知されたことに応じて、前記データに対するアクセス権を前記セキュリティサーバが管理するための情報を、前記セキュリティサーバに自動的に設定する自動設定工程と、
を有することを特徴とする処理装置の制御方法。
【請求項１１】
データに対するアクセス権を管理するセキュリティサーバと接続可能な処理装置の制御方法であって、
データを入力するデータ入力工程と、
前記データ入力工程において入力されたデータを記憶する記憶工程と、
前記記憶工程において記憶された複数のデータの各々について、当該データに対するアクセス権が前記セキュリティサーバによって管理されているか否かを識別する識別工程と、
前記記憶工程において記憶された複数のデータのうち、前記識別工程において前記セキュリティサーバによってアクセス権が管理されていないと識別されたデータについて、前記セキュリティサーバにアクセス権を管理させるための情報を、前記セキュリティサーバに一括で設定する一括設定工程と、
を有することを特徴とする処理装置の制御方法。
【請求項１２】
請求項１０又は１１に記載の処理装置の制御方法を前記処理装置が有するコンピュータに実行させるためのプログラム。
【手続補正２】
【補正対象書類名】明細書
【補正対象項目名】発明の名称
【補正方法】変更
【補正の内容】
【発明の名称】処理装置及びその制御方法
【手続補正３】
【補正対象書類名】明細書
【補正対象項目名】０００１
【補正方法】変更
【補正の内容】
【０００１】
本発明は、処理装置とその制御方法に関するものである。
【手続補正４】
【補正対象書類名】明細書
【補正対象項目名】００１１
【補正方法】変更
【補正の内容】
【００１１】
上記目的を達成するために本発明の一態様に係る処理装置は以下のような構成を備える。即ち、
データに対するアクセス権を管理するセキュリティサーバと接続可能な処理装置であって、
データを入力するデータ入力手段と、
前記データ入力手段によって入力されたデータを記憶する記憶手段と、
前記記憶手段によって記憶されたデータに対するアクセス権が前記セキュリティサーバによって管理されているか否かを検知する検知手段と、
前記記憶手段によって記憶されたデータに対するアクセス権が前記セキュリティサーバによって管理されていないことを前記検知手段が検知したことに応じて、前記データに対するアクセス権を前記セキュリティサーバが管理するための情報を、前記セキュリティサーバに自動的に設定する自動設定手段と、
を有することを特徴とする。
【手続補正５】
【補正対象書類名】明細書
【補正対象項目名】００１２
【補正方法】変更
【補正の内容】
【００１２】
上記目的を達成するために本発明の一態様に係る処理装置は以下のような構成を備える。即ち、
データに対するアクセス権を管理するセキュリティサーバと接続可能な処理装置であって、
データを入力するデータ入力手段と、
前記データ入力手段によって入力されたデータを記憶するための記憶手段と、
前記記憶手段によって記憶された複数のデータの各々について、当該データに対するアクセス権が前記セキュリティサーバによって管理されているか否かを識別する識別手段と、
前記記憶手段によって記憶された複数のデータのうち、前記識別手段が前記セキュリティサーバによってアクセス権が管理されていないと識別したデータについて、前記セキュリティサーバにアクセス権を管理させるための情報を、前記セキュリティサーバに一括で設定する一括設定手段と、
を有することを特徴とする。
【手続補正６】
【補正対象書類名】明細書
【補正対象項目名】００１３
【補正方法】変更
【補正の内容】
【００１３】
上記目的を達成するために本発明の一態様に係る処理装置の制御方法は以下のような工程を備える。即ち、
データに対するアクセス権を管理するセキュリティサーバと接続可能な処理装置の制御方法であって、
データを入力するデータ入力工程と、
前記データ入力工程において入力されたデータを記憶する記憶工程と、
前記記憶工程において記憶されたデータに対するアクセス権が前記セキュリティサーバによって管理されているか否かを検知する検知工程と、
前記記憶工程において記憶されたデータに対するアクセス権が前記セキュリティサーバによって管理されていないことを前記検知工程において検知されたことに応じて、前記データに対するアクセス権を前記セキュリティサーバが管理するための情報を、前記セキュリティサーバに自動的に設定する自動設定工程と、
を有することを特徴とする。
また、上記目的を達成するために本発明の一態様に係る処理装置の制御方法は以下のような工程を備える。即ち、
データに対するアクセス権を管理するセキュリティサーバと接続可能な処理装置の制御方法であって、
データを入力するデータ入力工程と、
前記データ入力工程において入力されたデータを記憶するための記憶工程と、
前記記憶工程において記憶された複数のデータの各々について、当該データに対するアクセス権が前記セキュリティサーバによって管理されているか否かを識別する識別工程と、
前記記憶工程において記憶された複数のデータのうち、前記識別工程において前記セキュリティサーバによってアクセス権が管理されていないと識別されたデータについて、前記セキュリティサーバにアクセス権を管理させるための情報を、前記セキュリティサーバに一括で設定する一括設定工程と、
を有することを特徴とする。